(57)【特許請求の範囲】
【請求項１】
斜張橋のケーブル定着部における狭作業空間の開口部からその内部に搬入される筒状の緊張カプラーをアンカーヘッドに螺着し、
前記開口部から搬入され略半円形状に２分割されたラムチェアー分割体をリング状のラムチェアーに組み立て、
該ラムチェアーの上にジャッキの一端側を固定して周方向に複数個の当該ジャッキを前記開口部から搬入して取り付け、
該ジャッキの他端側に略半円形状に２分割されたジャッキシムを前記開口部から搬入してリング状に取り付け、
更に、ジャッキシムを適宜に複数段に積層して取り付けてその後、前記ラムチェアーを支圧プレートに固定し、
前記ジャッキシムに前記開口部から搬入した緊張ナットを乗せるとともに前記緊張カプラーの先端部に螺着させ、
前記複数個のジャッキを作動させ、そのジャッキ力を前記ジャッキシムと前記緊張ナット及び緊張カプラーを介して前記アンカーヘッドを引張り、
前記アンカーヘッドに螺着された定着ナットを前記ラムチェアーに設けられた開口窓から金属棒を差し込んで所定方向に回して支圧プレートに締め込むこと、
を特徴とするケーブル緊張方法。
【請求項２】
斜張橋のケーブル定着部における狭作業空間の開口部からその内部に搬入されて組み立てられるケーブル緊張装置であって、
略半円形状に２分割されていてこれをリング状に連結したラムチェアーと、
該ラムチェアーの片面側で周方向に一端側が取り付けられる複数個のジャッキと、
該複数個のジャッキの筒体側に略半円形状に２分割されていてリング状に取り付けられて所望ストローク調整量分に積層されるジャッキシムと、
該ジャッキシムに乗せられるリング状の緊張ナットと、
該緊張ナットの内周面に先端部が取り付けられ後端部がアンカーヘッドの外周面に係合されて前記ジャッキシムの内側に内包される筒状の緊張カプラーとからなり、
前記ラムチェアーの側壁面には、アンカーヘッドに螺着されている定着ナット回し用の金属棒が差し込まれる開口窓が中心部に向けて貫通されて周方向に１以上設けられていること、
を特徴とするケーブル緊張装置。
【発明の詳細な説明】
【０００１】
【発明の属する技術分野】
本発明は、例えば、斜張橋における定着部間に架設されたケーブルをジャッキで緊張させる方法とその装置に関する。
【０００２】
【従来の技術】
従来、例えば、斜張橋における斜材ケーブルを緊張定着させるには、定着部の支圧プレートに反力を採る架設用反力受台と、該反力受台の中央部にセットされてＰＣ鋼より線からなるストランドを中心部に挿通させるセンターホール型ジャッキとにより、前記複数本の各ストランドを引張り・緊張させウェッジ（くさび）にて保持させている。
【０００３】
そして、各ストランドを保持するアンカーヘッドをジャッキにて引張り、当該アンカーヘッドが引張られて移動した分だけ定着（固定）ナットを締め込み定着させている。
【０００４】
【発明が解決しようとする課題】
しかしながら、前記各ストランドを緊張させたり、各ストランドを纏めてアンカーヘッドを引張るには、センターホール型ジャッキを反力受台に載置するため、斜材ケーブルの軸芯方向に沿って長くなって大きな作業空間が必要となる。そこで、図８に示すように、定着端部に取り付けた架設用反力受けリング４と橋桁との間に押上げ式小型油圧ジャッキ５を介装して構成し、アンカーヘッド３を前記反力リング４を介して前記ジャッキ５で斜材ケーブル（ストランド）１の軸芯方向に押し上げて緊張させるようにすることで、作業空間を広げ作業性改善を図るものが知られている（実開平３−７９３１７）。
【０００５】
しかし、この場合でも、アンカーヘッド３に螺着した反力リング４と橋桁との間にジャッキ５を介装させるので、その分の長さが必要となってアンカーヘッド３の全体長さＬが長くなってしまい、斜張橋における定着部においてはアンカーヘッドが大型化するのは好ましくなく、また、引張り長さの調整も出来ないのでストロークの短いジャッキでは不都合である、更に、反力リングを搬入するためには大きな開口部が必要となって橋桁内部での作業ができないという課題がある。本発明に係るケーブル緊張方法とその装置は、このような課題を解消するために提案されるものである。
【０００６】
【課題を解決するための手段】
本発明に係るケーブル緊張方法の上記課題を解決するための要旨は、斜張橋のケーブル定着部における狭作業空間の開口部からその内部に筒状の緊張カプラーをアンカーヘッドに螺着し、前記開口部から搬入され略半円形状に２分割されたラムチェアー分割体をリング状のラムチェアーに組み立て、該ラムチェアーの上にジャッキの一端側を固定して周方向に複数個の当該ジャッキを前記開口部から搬入して取り付け、該ジャッキの他端側に略半円形状に２分割されたジャッキシムを前記開口部から搬入してリング状に取り付け、更に、ジャッキシムを適宜に複数段に積層して取り付けてその後、前記ラムチェアーを支圧プレートに固定し、前記ジャッキシムに前記開口部から搬入した緊張ナットを乗せるとともに前記緊張カプラーの先端部に螺着させ、前記複数個のジャッキを作動させ、そのジャッキ力を前記ジャッキシムと前記緊張ナット及び緊張カプラーを介して前記アンカーヘッドを引張り、前記アンカーヘッドに螺着された定着ナットを前記ラムチェアーに設けられた開口窓から金属棒を差し込んで所定方向に回して支圧プレートに締め込むことである。
【０００７】
本発明のケーブル緊張装置の要旨は、斜張橋のケーブル定着部における狭作業空間の開口部からその内部に搬入されて組み立てられるケーブル緊張装置であって、略半円形状に２分割されていてこれをリング状に連結したラムチェアーと、該ラムチェアーの片面側で周方向に一端側が取り付けられる複数個のジャッキと、該複数個のジャッキの筒体側に略半円形状に２分割されていてリング状に取り付けられて所望ストローク調整量分に積層されるジャッキシムと、該ジャッキシムに乗せられるリング状の緊張ナットと、該緊張ナットの内周面に先端部が取り付けられ後端部がアンカーヘッドの外周面に係合されて前記ジャッキシムの内側に内包される筒状の緊張カプラーとからなり、前記ラムチェアーの側壁面には、アンカーヘッドに螺着されている定着ナット回し用の金属棒が差し込まれる開口窓が中心部に向けて貫通されて周方向に１以上設けられていることである。
【０００９】
本発明に係るケーブル緊張方法とその装置によれば、ラムチェアーとジャッキシムとは、共に２分割された略半円形体に形成されているので、例えば、橋桁の狭い開口部から内部に入れることが出来て緊張作業が出来るようになる。また、１段または複数段に積層されるジャッキシムにより、ストローク調整が可能であるとともにジャッキ力を均一に分散させて緊張ナットにジャッキ力が伝達され、小ストロークのジャッキでも適宜使用できるようになる。
緊張カプラーがアンカーヘッドに螺着されて引張るので、アンカーヘッドの背が低くても緊張作業できるようになり、その結果、アンカーヘッドがコンパクトで低コストに形成されるとともに、橋桁等における背の低い狭作業空間でも緊張作業ができるものである。
【００１０】
【発明の実施の形態】
次に、本発明に係るケーブル緊張方法とその装置について図面を参照して説明する。なお、発明の理解の容易のため従来例に対応する部分には従来例と同一符号を付けて説明する。
【００１１】
本発明のケーブル緊張方法は、図１乃至図２に示すように、例えば、斜張橋の斜材ケーブルの定着部において、橋桁等のコンクリート躯体の支圧プレート１０にケーブル緊張装置１１をセットして、複数本のストランド１を支持するアンカーヘッド３を所要緊張力にて引張り、該アンカーヘッド３に六角穴付ボルトで接合されている定着ブロック９に螺着されている定着（固定）ナット６を締め込んで定着させるものである。
【００１２】
このケーブル緊張装置１１の構成について説明する。この装置１１のラムチェアー１２は、図３（イ）に示すように、略半円形状に２分割されたラムチェアー分割体１２ａ，１２ｂをその周端側部における連結部でボルト・ナット１３により固定して、一つのリング状に組み立てられたものである。
【００１３】
該ラムチェアー１２の側壁には、リング中央部に向かって貫通して開口された開口窓１２ｃが周方向に１以上設けられ、当該装置１１を吊り上げるためのフック１２ｄ，１２ｅが固定されている。上面には、中心部に向けて配設されたジャッキ取付け用のブラケット１２ｆが、周方向に対向配置にされて所要数固設されている。図３（ロ）に示すように、該ブラケット１２ｆの上面に、前記ラムチェアー１２に当該ブラケット１２ｆをボルトで固定するためのネジ孔１２ｇが、例えば、３カ所に設けられている。
【００１４】
前記ラムチェアー１２の上面に取り付けられる小ストロークのジャッキ１４は、ジャッキ本体の筒体１４ａと、ジャッキロッド１４ｂと、該ロッドの先端に固定された取付板１４ｃとでなる。また、筒体１４ａの上面に、後述のジャッキシムを取り付けるためのネジ孔１４ｅが４カ所に設けられている。
【００１５】
ジャッキ１４の力を均一にして後述の緊張ナット１６に伝達させるため、前記ジャッキ１４の筒体１４ａの上面に、図５に示すように、２分割された略半円形状で平板体のジャッキシム１５がボルト等で固定される。このジャッキシム１５の平坦面に、前記ジャッキ１４のネジ孔１４ｅに対応させた位置にボルト挿通用の取付孔１５ａが所要数穿設されている。
【００１６】
このジャッキシム１５は、２枚を突き合わせてリング状にされ、それをジャッキ高さの不足分を補うものとして、ボルトでジャッキ１４の上面にネジ孔１４ｅを介して固定され、更に必要に応じて２段若しくは３段とボルトで互いに固定して積層されるものである。
【００１７】
前記ラムチェアー１２とジャッキ１４とジャッキシム１５とを組み立てた状態が、図６に示す状態である。更に、図７に示すように、前記ジャッキシム１５の上に乗せられるリング状の緊張ナット１６がある。該緊張ナット１６の周壁で、狭口に入れられるように２面取りされた部分に吊り上げ用のフック１６ａが設けられている。また、内周壁面には、ネジ溝が刻設されている。
【００１８】
前記緊張ナット１６の内周面に先端部が取り付けられ後端部がアンカーヘッド３の外周面に係合されて、前記ジャッキシム１５の内側に内包される筒状の緊張カプラー１７が設けられる。該緊張カプラー１７の先端部には、ネジ溝１７ａが刻設されて、前記緊張ナット１６と螺合する。また、後端部の内周壁面にはネジ溝１７ｂが刻設され、アンカーヘッド３の外周面のネジ溝と螺合する。先端部の上面には、吊り上げようのフック１７ｃが立設されている。
【００１９】
本発明のケーブル緊張装置１１は、上記の構成物を組み立てて形成されるものである。このケーブル緊張装置１１の使用方法について説明する。例えば、斜張橋のケーブル定着部は橋桁の狭い作業空間内にあるので、マンホール程度の開口部からケーブル緊張装置１１を搬入しなければならない。そこで、図１に示すように、前記緊張カプラー１７を開口部から作業空間内部へ搬入してアンカーヘッド３に螺着する。
【００２０】
次ぎに、ラムチェアー分割体１２ａ，１２ｂをそれぞれ開口部から作業空間内に搬入し、該ラムチェアー分割体を組み立てる。更に、所要数のジャッキ１４を運び込んで当該ジャッキのロッド１４ｂ側の取付板１４ｃをブラケット１２ｆ，１２ｆに差し込むことで、前記ラムチェアー１２に該ジャッキを取り付ける。
【００２１】
そして、２分割の略半円形状のジャッキシム１５を搬入して、ボルトで前記ジャッキ１４の筒体１４ａに固定する。このジャッキシム１５は、図１に示すように、例えば３段に積層する。
【００２２】
この状態まで組み立てたジャッキ１４を吊り上げて、支圧プレート１０に前記ラムチェアー１２をボルトで固定する。その後、緊張ナット１６を搬入して前記緊張カプラー１７の先端部に螺着する。
【００２３】
こうして、前記定着部の狭い作業室内にケーブル緊張装置１１をセットした後、前記複数の各ジャッキ１４を作動させて矢印方向に移動させる。これにより、緊張ナット１６を介して緊張カプラー１７が、アンカーヘッド３を引張りながら矢印方向に移動し、複数本のストランド１の束である斜材ケーブルに所定の緊張力を付与するものである。
【００２４】
そして、前記アンカーヘッド３が図中の矢印方向に移動した分、逆に定着ナット６をラムチェアー１２の開口窓１２ｃ（図３参照）から差し込んだ金属棒で所定方向に回し、支圧プレート１０へと締め込む。当該ラムチェアー１２にこの開口窓１２ｃがあることで、ジャッキ１４が周方向に多数有って定着ナット回し用の間隙が無い状態でも、定着ナット６を回転させることが出来るものである。よって、小ストロークのジャッキ１４を多数使用して、コンパクトなケーブル緊張装置１１であっても、大きな引張り力を確保できるものである。
【００２５】
また、アンカーヘッド３の移動量が不足する場合には、ジャッキ１４を作動前の状態に戻す。そして、当該緊張ナット１６を回転させてジャッキシム１５の面まで進ませる。その後、再び前記ジャッキ１４を作動させて緊張カプラー１７を介してアンカーヘッド３を矢印方向に引っ張り、開口窓１２ｃから金属棒で定着ナット６を回転させ支圧プレート１０へ締め込んで定着させるのを繰り返すものである。こうして、小ストロークのジャッキ１４による、不足するストローク分の盛替え作業が容易に狭作業空間内で行えるものである。
【００２６】
また、緊張ナット１６の移動量は、緊張カプラーの外周に刻設されたねじ長さに関係するが、このねじ長さに対して当該移動量がいっぱいになった時は、緊張ナット１６とジャッキシム１５との間に追加のシムを入れることで、引き続き繰り返しの緊張が可能となる。
【００２７】
【発明の効果】
以上説明したように、本発明に係るケーブル緊張方法は、斜張橋のケーブル定着部における狭作業空間の開口部からその内部に筒状の緊張カプラーをアンカーヘッドに螺着し、前記開口部から搬入され略半円形状に２分割されたラムチェアー分割体をリング状のラムチェアーに組み立て、該ラムチェアーの上にジャッキの一端側を固定して周方向に複数個の当該ジャッキを前記開口部から搬入して取り付け、該ジャッキの他端側に略半円形状に２分割されたジャッキシムを前記開口部から搬入してリング状に取り付け、更に、ジャッキシムを適宜に複数段に積層して取り付けてその後、前記ラムチェアーを支圧プレートに固定し、前記ジャッキシムに前記開口部から搬入した緊張ナットを乗せるとともに前記緊張カプラーの先端部に螺着させ、前記複数個のジャッキを作動させ、そのジャッキ力を前記ジャッキシムと前記緊張ナット及び緊張カプラーを介して前記アンカーヘッドを引張り、前記アンカーヘッドに螺着された定着ナットを前記ラムチェアーに設けられた開口窓から金属棒を差し込んで所定方向に回して支圧プレートに締め込むことなので、ラムチェアーとジャッキシムとが共に２分割された略半円形体に形成されているので、例えば、橋桁の狭い開口部から作業空間内部に入れることが出来て、ケーブルの緊張作業が狭作業空間内で可能となるという優れた効果を奏するものである。
【００２８】
また、１段または複数段に積層されるジャッキシムにより、ストローク調整が可能となるとともにジャッキ力を均一に分散させて緊張ナットにジャッキ力が伝達され、緊張ナットに偏向した力が加わらないので薄肉化して取り扱い易くなり、小ストロークのジャッキでも適宜使用できるようになる。更に、緊張カプラーがアンカーヘッドに螺着されて引張るので、アンカーヘッドの背が低くても緊張作業できるようになり、その結果、アンカーヘッドがコンパクトで低コストに形成されるとともに、橋桁等における背の低い狭作業空間でも緊張作業ができるという優れた効果を奏するものである。
【００２９】
本発明のケーブル緊張装置は、斜張橋のケーブル定着部における狭作業空間の開口部からその内部に搬入されて組み立てられるケーブル緊張装置であって、略半円形状に２分割されていてこれをリング状に連結したラムチェアーと、該ラムチェアーの片面側で周方向に一端側が取り付けられる複数個のジャッキと、該複数個のジャッキの筒体側に略半円形状に２分割されていてリング状に取り付けられて所望ストローク調整量分に積層されるジャッキシムと、該ジャッキシムに乗せられるリング状の緊張ナットと、該緊張ナットの内周面に先端部が取り付けられ後端部がアンカーヘッドの外周面に係合されて前記ジャッキシムの内側に内包される筒状の緊張カプラーとからなり、前記ラムチェアーの側壁面には、アンカーヘッドに螺着されている定着ナット回し用の金属棒が差し込まれる開口窓が中心部に向けて貫通されて周方向に１以上設けられているので、狭作業空間内へ２分割したものを入れて組立が可能となり、コンパクトな装置であって、かつ、大きな引張り力を確保できる装置となるという優れた効果を奏するものである。
【００３０】
前記ラムチェアーの側壁面には、アンカーヘッドに螺着されている定着ナット回し用の開口窓が中心部に向けて貫通されて周方向に１以上設けられているので、多数の小ストロークのジャッキを周方向に配設しても、当該開口窓により定着部の定着ナットを回して支圧プレートへと締め込むことが出来るという優れた効果を奏するものである。
【図面の簡単な説明】
【図１】本発明に係るケーブル緊張方法の使用状態を説明するための断面図であり、上半断面は、緊張後の状態であり、下半断面は緊張前の状態を示している。
【図２】同本発明に係るケーブル緊張装置の図１における左側面図である。
【図３】同本発明に係るケーブル緊張装置のラムチェアーの斜視図（イ）とその一部の拡大斜視図（ロ）である。
【図４】同本発明に係るケーブル緊張装置のジャッキの斜視図である。
【図５】同本発明に係るケーブル緊張装置のジャッキシムの斜視図である。
【図６】同本発明に係るケーブル緊張装置の途中組立状態の斜視図である。
【図７】同本発明に係るケーブル緊張装置における緊張ナットと緊張カプラーとの結合状態の斜視図である。
【図８】従来例に係るケーブル緊張装置の使用状態の説明図（イ）、平面図（ロ）である。
【符号の説明】
１  ストランド、３  アンカーヘッド、６  定着（固定）ナット、
１０  支圧プレート、１１  ケーブル緊張装置、１２  ラムチェアー、
１２ａ，１２ｂ  ラムチェアー分割体、
１２ｃ  開口窓、１２ｆ  ブラケット、１４  ジャッキ、１４ａ  筒体、
１４ｂ  ジャッキロッド、１４ｃ  取付板、１５  ジャッキシム、
１６  緊張ナット、１７  緊張カプラー、１７ａ，１７ｂ  ネジ溝。
【図１】
0003561658.tif 000002
【図２】
0003561658.tif 000003
【図３】
0003561658.tif 000004
【図４】
0003561658.tif 000005
【図５】
0003561658.tif 000006
【図６】
0003561658.tif 000007
【図７】
0003561658.tif 000008
【図８】
0003561658.tif 000009